(57)【要約】      （修正有）【課題】使用者にとって快適な枕を提供する。【解決手段】使用者の頭部を支える枕１００であって、枕１００の表面側に配置される第１弾性部材２００と、第１弾性部材２００の内側に配置され、枕１００の底面側に配置される第２弾性部材３００と、第１弾性部材２００と第２弾性部材３００との間に配置される第３弾性部材４００と、を含み、第１弾性部材２００の上面には、複数の凸部２１０を有し、第２弾性部材３００の側面は、第１弾性部材２００の端部の内側と接続され、前記第３弾性部材は、平面視において中央部を除く上端、下端、左端及び右端に配置され、第１弾性部材２００より第３弾性部材４００が硬く、第３弾性部材４００より第２弾性部３００材が硬い。【選択図】図３
0003222323.tif 000002
【実用新案登録請求の範囲】
【請求項１】
使用者の頭部を支える枕であって、
前記枕の表面側に配置される第１弾性部材と、
前記第１弾性部材の内側に配置され、前記枕の底面側に配置される第２弾性部材と、
前記第１弾性部材と前記第２弾性部材との間に配置される第３弾性部材と、を含み、
前記第１弾性部材の上面には、複数の凸部を有し、
前記第２弾性部材の側面は、前記第１弾性部材の端部の内側と接続され、
前記第３弾性部材は、平面視において中央部を除く上端、下端、左端及び右端に配置され、
前記第１弾性部材より前記第３弾性部材が硬く、前記第３弾性部材より前記第２弾性部材が硬い枕。
【請求項２】
前記第１弾性部材は、前記凸部の上端側に配置され低反発弾性フォームから構成される第４弾性部材と、
前記凸部の下端側に配置され前記第３弾性部材より柔らかいポリウレタンフォームから構成される第５弾性部材と、を含む請求項１記載の枕。
【請求項３】
前記枕の側面側の前記第１弾性部材に傾斜部が設けられる請求項１又は２記載の枕。
【請求項４】
前記第２弾性部材の下方に補助弾性部材が配置される請求項１、２又は３記載の枕。
【請求項５】
前記第１弾性部材、前記第２弾性部材及び前記第３弾性部材が、それぞれ異なるポリウレタンフォームから構成される請求項１乃至４のいずれかに記載の枕。
【考案の詳細な説明】
【技術分野】
【０００１】
本考案は、枕に関するものである。
【背景技術】
【０００２】
近年開発されたものとして、無膜の軟質ポリウレタンフォームがある。この無膜の軟質ポリウレタンフォームは、ポリエステル系またはポリエーテル系の通常の連続気泡の軟質ポリウレタンフォーム（以下、無膜化されていない連続気泡の軟質ポリウレタンフォームを「汎用軟質ポリウレタンフォーム」という。）を例えば爆発法により無膜化することによって製造される（以下、無膜化された連続気泡の軟質ポリウレタンフォームを「無膜軟質ポリウレタンフォーム」という。）。
【０００３】
この無膜軟質ポリウレタンフォームは、内部のリブ間の膜が効率よく除去され、空隙容量が汎用軟質ポリウレタンフォームに比して大変大きいことが、構造上の特徴である。
【０００４】
従って、無膜軟質ポリウレタンフォームは、セルに膜が無く、骨格構造を成しているため、高い通気性および通水性を有する。
【０００５】
しかも、この無膜軟質ポリウレタンフォームは、汎用軟質ポリウレタンフォームが有する硬さ、密度などの特性が無膜化によって損なわれず、むしろ引っ張り強さはより向上するという特徴を有している。
【０００６】
また、軟質ポリウレタンフォームについて、プロファイル加工などの加工によりその表面に凹凸を施したものが用いられており、通気性をさらに向上させるために凹部に軟質ポリウレタンフォームを貫通するスリットを設けたものが使用されている。
【０００７】
特許文献１には、全て無膜軟質ポリウレタンフォームより構成され、表面をプロファイル加工した上側のシートと、中間の下側シートと、その下に配される高さ調整用マットとの３層構造の積層体を内包材とする枕が示されている。
【０００８】
特許文献２には、枕本体と枕本体に内蔵される調節素材とからなり、枕本体の表面はプロファイル加工され、かつ、枕本体及び調節素材を貫通するスリットを設けた枕の内包材が示されている。
【先行技術文献】
【特許文献】
【０００９】
【特許文献１】特開２０００−１３９６５３号公報
【特許文献２】特開２００４−１５９９３０号公報
【考案の概要】
【考案が解決しようとする課題】
【００１０】
ポリウレタンフォームは通気性及び速乾性はあるものの本来保温性及び保湿性が高いものであるため、ポリウレタンフォームを内包材とする枕は、その使用中において、身体の頭部が接する枕の上部が最も温度が高くかつ湿気を含むため蒸れる状態となるので寝苦しくなる。
【００１１】
しかしながら、特許文献１及び特許文献２に係る発明は、使用者の頭部に接する部分が突起状になっているが、特許文献１に係る発明は、一種類のポリウレタンフォームから構成されており、硬さが段階的に調節されていない。
【００１２】
また、特許文献２に係る発明は、複数の層に分かれているが、同一のポリウレタンフォームが使用されており、層ごとの硬さが同じである。
【００１３】
本考案の主な目的は、使用者にとって快適な枕を提供することである。
【００１４】
本考案の他の目的は、使用者の頭部が沈む込み過ぎない枕を提供することである。
【課題を解決するための手段】
【００１５】
本考案の第１の局面に係る枕は、使用者の頭部を支える枕であって、
前記枕の表面側に配置される第１弾性部材と、
前記第１弾性部材の内側に配置され、前記枕の底面側に配置される第２弾性部材と、
前記第１弾性部材と前記第２弾性部材との間に配置される第３弾性部材と、を含み、
前記第１弾性部材の上面には、複数の凸部を有し、
前記第２弾性部材の側面は、前記第１弾性部材の端部の内側と接続され、
前記第３弾性部材は、平面視において中央部を除く上端、下端、左端及び右端に配置され、
前記第１弾性部材より前記第３弾性部材が硬く、前記第３弾性部材より前記第２弾性部材が硬い枕である。
【００１６】
第３弾性部材が平面視中央部に配置されないことにより、枕の平面視中央部が凹む構成になる。
【００１７】
そのため、本考案に係る枕は、使用者の後頭部を安定して支えることができる。
【００１８】
また、第１弾性部材は複数の凸部を有し、第１弾性部材、第３弾性部材、第２弾性部材が、高さ方向（ｚ軸方向）に層ごとに硬さが異なるため、使用者の頭部は安定して支えられる。そして、第１弾性部材、第３弾性部材、第２弾性部材が、高さ方向（ｚ軸方向）に段階的に硬さが硬くなっているため、より使用者の頭部は安定して支えられる。
【００１９】
また、第１弾性部材、第３弾性部材、第２弾性部材が、高さ方向（ｚ軸方向）に段階的に硬さが硬くなっているため、使用者の頭部の枕への沈み込み具合の調整がし易い。
【００２０】
また、使用者の頭部は、第１弾性部材の複数の凸部によって支えられるため安定し、枕との接触部の通気性が良く、熱が溜まりにくく、使用者は快眠し易い。
【００２１】
本考案の第２の局面に係る枕は、第１の局面に係る枕であって、前記第１弾性部材は、前記凸部の上端側に配置され低反発弾性フォームから構成される第４弾性部材と、
前記凸部の下端側に配置され前記第３弾性部材より柔らかいポリウレタンフォームから構成される第５弾性部材と、を含む枕である。
【００２２】
「低反発弾性フォーム」とは、低反発フォームとも言い、軟質ウレタンフォームの一種であり、「弾性」を抑え「粘性」を上げたフォームである。
【００２３】
低反発弾性フォームは、ヒステリシスロス率（ＪＩＳ Ｋ ６４００-２)の大きい衝撃吸収性フォームの特性も有している。
【００２４】
第１弾性部材の複数の凸部の上端側が低反発弾性フォームであり、第１弾性部材の下端側が別のポリウレタンフォームであることにより、使用者の頭部は沈み込み過ぎず、安定して支えられる。
【００２５】
本考案の第３の局面に係る枕は、第１の局面又は第２の局面に係る枕であって、前記枕の側面側の前記第１弾性部材に傾斜部が設けられる枕である。
【００２６】
傾斜部は、使用者の肩が接触するところに２箇所設けられている。つまり、傾斜部は、ｘ軸方向に対して２箇所設けられている。
【００２７】
また、傾斜部は、枕の上側（ｙ軸負方向側）及び下側（ｙ軸正方向側）の少なくとも一方に設けられればよい。
【００２８】
傾斜部は、枕の下面側が狭くなるように傾斜し、これにより、使用者が横向けに寝た場合、使用者の肩が枕の傾斜部に入り込むようになっている。
【００２９】
したがって、使用者が横向けに寝た場合であっても、使用者の肩が枕の傾斜部に入り込み、頭部が安定して支えられる。
【００３０】
本考案の第４の局面に係る枕は、第１の局面、第２の局面又は第３の局面に係る枕であって、前記第２弾性部材の下方に補助弾性部材が配置される枕である。
【００３１】
使用者によっては枕を高くしたい場合もあるため、第２弾性部材の下方に補助弾性部材を配置することで枕を高くすることができる。
【００３２】
本考案の第５の局面に係る枕は、第１の局面乃至第４の局面に係る枕であって、前記第１弾性部材、前記第２弾性部材及び前記第３弾性部材が、それぞれ異なるポリウレタンフォームから構成される枕である。
【００３３】
ポリウレタンフォームであれば、成形し易いという利点がある。また、前記第１弾性部材、前記第２弾性部材及び前記第３弾性部材が、それぞれ異なるポリウレタンフォームとすることにより、枕全体の硬さや頭部の沈み具合の調整が容易である。
【考案の効果】
【００３４】
本考案に係る枕であれば、使用者にとって快適な枕を提供することができる。また、本考案に係る枕であれば、使用者の頭部が沈む込み過ぎない枕を提供することができる。
【図面の簡単な説明】
【００３５】
【図１】本考案の一実施形態に係る枕の斜視図。
【図２】同実施形態における枕の正面図。
【図３】同実施形態における枕の背面図。
【図４】同実施形態における枕の側面図。
【図５】同実施形態における枕の側面図。
【図６】同実施形態における枕のＡ−Ａ側面視断面図。
【図７】同実施形態における枕のＢ−Ｂ側面視断面図。
【図８】同実施形態における枕の背面図。
【考案を実施するための形態】
【００３６】
以下、本考案の一例を、図面を参照しながら説明する。本考案に係る枕１００は、カバー（図示しない）を取り付けて使用されるが、カバーに関しては説明を省略する。
【００３７】
図１から図８に示すように、本考案に係る枕１００は、枕１００の表面側に配置される第１弾性部材２００と、
枕１００の底面側（ｚ軸負方向側）に配置される第２弾性部３００と、
第１弾性部材２００と第２弾性部材３００とのｚ軸方向の間に配置される第３弾性部材４００と、を含む。
【００３８】
第１弾性部材２００は、表面側に複数の凸部２１０と、凸部２１０が設けられている接続部２２０と、を有する。
【００３９】
凸部２１０は、先端側は第４弾性部材２１１で構成され、その他の基端側の凸部２１０と接続部２２０とは、第５弾性部材２２１で構成される。
【００４０】
つまり、第１弾性部材２００は、第４弾性部材２１１と第５弾性部材２２１とから構成される。
【００４１】
第４弾性部材２１１は、低反発弾性フォームで構成される。
【００４２】
第４弾性部材２１１は、密度〔ｋｇ／ｍ３〕が５５．２以上６４．８以下、硬さ（２５％圧縮）〔Ｎ〕が５７以上９３以下、硬さ（４０％圧縮）〔Ｎ〕が７１以上１０９以下、引張り強さ〔ｋＰａ〕が７０、伸び〔％〕が２００、圧縮残留ひずみ（７５％圧縮）〔％〕が１０であるものが好ましい。
【００４３】
第５弾性部材２２１は、第３弾性部材４００より柔らかいウレタンフォームであることが好ましい。
【００４４】
第５弾性部材２２１は、密度〔ｋｇ／ｍ３〕が２０．２以上２３．８以下、硬さ（２５％圧縮）〔Ｎ〕が４４以上７６以下、硬さ（４０％圧縮）〔Ｎ〕が４８以上８２以下、引張り強さ〔ｋＰａ〕が５０、伸び〔％〕が１５０、圧縮残留ひずみ（７５％圧縮）〔％〕が１０であるものが好ましい。
【００４５】
第１弾性部材２００の底面（接続部２２０の底面）は、第２弾性部材３００の側面と、第３弾性部材４００の上面側（ｚ軸正方向側）とに接着されている。
【００４６】
また、第３弾性部材４００が配置されていない第２弾性部材３００の平面視略中央部では、第１弾性部材２００の底面（接続部２２０の底面）と第２弾性部材３００の上面側（ｚ軸正方向側）と接着される。
【００４７】
第１弾性部材２００に複数の凸部２１０が設けられることにより、使用者の頭部が平面ではなく複数の点で支えられる。
【００４８】
そのため、枕１００は使用者の頭との間で通気性が良くなる。また、枕１００は、使用者の頭部を複数の点（凸部２１０）で支えることから、枕１００が使用者の頭部からずれ難くなるという効果を有する。
【００４９】
また、第１弾性部材２００の先端側は第４弾性部材２１１である低反発弾性フォームであるため、使用者の頭部をしっかりと支えることができる。
【００５０】
第１弾性部材２００の端部は第２弾性部材３００の側面側に接着されているが、図４に示すように、その第１弾性部材２００のｙ軸正方向側とｙ軸負方向側の両端側の一部であり、使用者の肩が接触するところは、ｚ軸に対して所定の角度でカットされている。
【００５１】
本実施形態では、第１弾性部材２００のｙ軸正方向側とｙ軸負方向側の両端側の一部は、ｘｙ平面からｚ軸に対して４５度の角度でカットされている。
【００５２】
具体的には、傾斜部２３０は、使用者の肩が接触する枕１００の片面側（ｙ軸負方向側又はｙ軸正方向側）に２箇所設けられている。
【００５３】
つまり、本実施形態では、枕１００には、ｙ軸負方向側に傾斜部２３０が２箇所、ｙ軸正方向側に傾斜部２３０が２箇所設けられており、枕１００には合計で４箇所、傾斜部２３０が設けられている。
【００５４】
これにより、使用者が横向けに寝た場合、下側の肩が枕１００の傾斜部２３０の下側に入り込み易くなり、枕１００によって使用者の頭部を安定して支えることができる。
【００５５】
また、使用者が仰向けで寝る場合は、両肩が傾斜部２３０の下側に入り込み易く、肩の冷えを抑止することができる。
【００５６】
また、枕１００がｘ軸に対して対象の形状とすることにより、ｙ軸方向のどちら側でも使用者の首及び肩側にすることができる。
【００５７】
つまり、枕１００の上側（ｙ軸負方向側）と下側（ｙ軸正方向側）とを逆にして使用することもできる。
【００５８】
図３、図６及び図７に示すように、第２弾性部材３００は、枕１００の下側（ｚ軸負方向側）に配置され、第１弾性部材２００の内側に配置される。
【００５９】
第２弾性部材３００は、ｘｙ平面視略長方形からなり、使用者の首に位置する部分であるｘ軸方向略中央部において、ｙ軸方向の幅が狭くなっている。
【００６０】
第２弾性部材３００は、ｚ軸正方向側の上面部３１０と、ｚ軸負方向側の下面部３２０と、側面部３３０と、を有する。
【００６１】
また、第２弾性部材３００は、使用者の首が配置される首配置部３４０を備える。
【００６２】
上面部３１０には、第３弾性部材４００が接着されている。なお、本実施形態では、上面部３１０のｘｙ平面視略中央部には第３弾性部材４００が配置されていない。
【００６３】
したがって、上面部３１０のｘｙ平面視略中央部には第１弾性部材２００の下面（接続部２２０の下面）が接着されている。
【００６４】
これにより、枕１００のｘｙ平面視略中央部が凹む構成となる。そのため、使用者の後頭部を枕１００のｘｙ平面視略中央部に配置することにより、枕１００でしっかりと使用者の首及び頭部を支えることができる。
【００６５】
下面部３２０は、枕１００の下面になるが、下面部３２０の下側に補助弾性部材５００を配置することにより、枕１００の高さを調節することができる。
【００６６】
側面部３３０は、ｘ軸負方向側の第１側面部３３１と、
ｘ軸正方向側の第２側面部３３２と、
ｙ軸負方向側の第３側面部３３３と、
ｙ軸正方向側の第４側面部３３４と、を有する。
【００６７】
側面部３３０の第３側面部３３３及び第４側面部３３４のｘ軸方向略中央部は、首配置部３４０であり、ｙ軸方向の幅が狭くなっている。
【００６８】
側面部３３０には、第１弾性部材２００の端部が接着されており、第２弾性部材３００は、第１弾性部材２００に覆われるような構成となっている。
【００６９】
首配置部３４０は、第２弾性部材３００のｙ軸方向両端であって、ｘ軸方向略中央部に配置されている。
【００７０】
本実施形態では、首配置部３４０は、略半楕円状にカットされており、その側面部３３０及び首配置部３４０の形状に沿って第１弾性部材２００の端部が接着されている。
【００７１】
本実施形態では、第２弾性部材３００は、第１弾性部材２００及び第３弾性部材４００より硬いウレタンフォームで構成されている。
【００７２】
第２弾性部材３００は、密度〔ｋｇ／ｍ３〕が３２．２以上３２．２以下、硬さ（２５％圧縮）〔Ｎ〕が１０７以上１５３以下、硬さ（４０％圧縮）〔Ｎ〕が１２５以上１７５以下、引張り強さ〔ｋＰａ〕が８０、伸び〔％〕が１５０、圧縮残留ひずみ（７５％圧縮）〔％〕が６．０であるものが好ましい。
【００７３】
第３弾性部材４００は、第１弾性部材２００と第２弾性部材３００との間に配置され、第２弾性部材３００の上面部３１０の上（ｚ軸正方向側）に配置される。
【００７４】
図３、図６及び図７に示すように、第３弾性部材４００は、ｘ軸負方向側に配置される左第３弾性部材４１０と、
ｘ軸正方向側に配置される右第３弾性部材４２０と、
ｙ軸正方向側に配置される下第３弾性部材４３０と、
ｙ軸負方向側に配置される上第３弾性部材４４０と、を有する。
【００７５】
左第３弾性部材４１０は、首配置部３４０よりｘ軸負方向側に配置されている。
【００７６】
右第３弾性部材４２０は、首配置部３４０よりｘ軸正方向側に配置されている。
【００７７】
下第３弾性部材４３０は、左第３弾性部材４１０と右第３弾性部材４２０との間に配置され、ｙ軸方向略中央部よりｙ軸正方向側に配置されている。
【００７８】
上第３弾性部材４４０は、左第３弾性部材４１０と右第３弾性部材４２０との間に配置され、ｙ軸方向略中央部よりｙ軸負方向側に配置されている。
【００７９】
本実施形態において、第３弾性部材４００は、ｘ軸方向略中央部及びｙ軸方向略中央部である中央部には配置されていない。
【００８０】
そのため、図６に示すように、枕１００は、中央部では、第１弾性部材２００の底面（接続部２２０の底面）と、第２弾性部材３００の上面が接着されている。
【００８１】
したがって、図１、図２及び図６に示すように、枕１００の中央部では周辺に比べてｚ軸方向の幅が狭くなっている。
【００８２】
これにより、使用者が仰向けに枕１００を使用した場合、使用者の後頭部が枕１００の中央部に接触し、枕１００が使用者の頭部及び首を安定して支えることができる。
【００８３】
第３弾性部材４００は、第１弾性部材２００より硬く、第２弾性部材３００より柔らかいものが好ましい。
【００８４】
第３弾性部材４００は、密度〔ｋｇ／ｍ３〕が２０．２以上２３．８以下、硬さ（２５％圧縮）〔Ｎ〕が７１以上１０９以下、硬さ（４０％圧縮）〔Ｎ〕が８０以上１２０以下、引張り強さ〔ｋＰａ〕が７５、伸び〔％〕が１８０、圧縮残留ひずみ（７５％圧縮）〔％〕が１０．０であるものが好ましい。
【００８５】
枕１００は、補助弾性部材５００を備える構成であってもよい。補助弾性部材５００は、枕１００の高さ（ｚ軸方向の幅）を高くするためのものである。
【００８６】
補助弾性部材５００は、第２弾性部材３００のｚ軸負方向側に配置され、第２弾性部材３００の底面（ｚ軸負方向側の面）と接触している。
【００８７】
本実施形態では、補助弾性部材５００は、他の弾性部材と同様に、ポリウレタンフォームから構成される。
【００８８】
本実施形態では、補助弾性部材５００は、第３弾性部材４００と同じポリウレタンフォームから構成される。
【００８９】
図８に示すように、補助弾性部材５００は、第３弾性部材４００と同様に、ｘ軸負方向側に配置される左補助弾性部材５１０と、
ｘ軸正方向側に配置される右補助弾性部材５２０と、
ｙ軸正方向側に配置される下補助弾性部材５３０と、
ｙ軸負方向側に配置される上補助弾性部材５４０と、を有する。
【００９０】
左補助弾性部材５１０は、首配置部３４０よりｘ軸負方向側に配置され、ｘｙ平面視の形状は、接触する第２弾性部材３００の形状と略同一である。
【００９１】
右補助弾性部材５２０は、首配置部３４０よりｘ軸正方向側に配置され、ｘｙ平面視の形状は、接触する第２弾性部材３００の形状と略同一である。
【００９２】
下補助弾性部材５３０は、形状がｘｙ平面視略長方形であり、左補助弾性部材５１０と右補助弾性部材５２０との間に配置され、ｙ軸方向略中央部よりｙ軸正方向側に配置されている。
【００９３】
上補助弾性部材５４０は、形状がｘｙ平面視略長方形であり、左補助弾性部材５１０と右補助弾性部材５２０との間に配置され、ｙ軸方向略中央部よりｙ軸負方向側に配置されている。
【００９４】
本実施形態において、補助弾性部材５００は、第３弾性部材４００と同様に、ｘ軸方向略中央部及びｙ軸方向略中央部には配置されていない。
【００９５】
これにより、補助弾性部材５００と一緒に枕カバーに入れた枕１００を使用した場合、補助弾性部材５００を備えない枕１００と比べて、枕１００の中央部の凹みが大きいため、使用者の頭部をより安定して支えることができる。
【００９６】
なお、補助弾性部材５００は、中央部にも配置される構成であってもよい。
【００９７】
第１弾性部材２００、第２弾性部材３００、第３弾性部材４００、第４弾性部材２１１、第５弾性部材２２１又は補助弾性部材５００の材質は、クッション性の観点から樹脂発泡体（フォーム）である。
【００９８】
上記樹脂発泡体を形成する樹脂としては、例えば、ポリウレタン（軟質ポリウレタン、硬質ポリウレタン）、ポリオレフィン、合成ゴム、天然ゴムなどが挙げられる。中でも、成型の自由度の観点から、ポリウレタンが好ましい。
【００９９】
本考案は、その趣旨を逸脱しない範囲で種々の改良、修正、又は変形を加えた態様でも実施できる。
【符号の説明】
【０１００】
１００…枕
２００…第１弾性部材
２１０…凸部
２１１…第４弾性部材
２２０…接続部
２２１…第５弾性部材
２３０…傾斜部
３００…第２弾性部材
３４０…首配置部
４００…第３弾性部材
５００…補助弾性部材
【図１】
0003222323.tif 000003
【図２】
0003222323.tif 000004
【図３】
0003222323.tif 000005
【図４】
0003222323.tif 000006
【図５】
0003222323.tif 000007
【図６】
0003222323.tif 000008
【図７】
0003222323.tif 000009
【図８】
0003222323.tif 000010